(57)【特許請求の範囲】
【請求項１】
アンコー、集水器、エルボ等の雨樋部品の縦樋接続部に外筒と内筒とを二重筒状に設けると共に外筒と内筒との間に縦樋の端部を挿入し得る挿入隙間を形成した雨樋部品の縦樋接続部の構造において、２種類の縦樋の断面形状に夫々合致する断面形状の第１挿入隙間と第２挿入隙間とを外筒と内筒との間にオーバーラップするように形成し、第１挿入隙間と第２挿入隙間とが重複しない部分では第１挿入隙間と第２挿入隙間との間に仕切りリブを設け、内筒を外筒より長く突出させると共に内筒の先端の外面に全周に亙って勾配面を設けて成ることを特徴とする雨樋部品の縦樋接続部の構造。
【発明の詳細な説明】
【０００１】
【発明の属する技術分野】
本発明は、アンコー、集水器、エルボ等の雨樋部品において、筒状の縦樋を接続する部分の構造に関するものである。
【０００２】
【従来の技術及び発明が解決しようとする課題】
アンコー、集水器、エルボ等の雨樋部品には筒状の縦樋１が接続されるが、この雨樋部品の縦樋接続部２には図７に示すように外筒３と内筒４とを二重筒状に設けると共に外筒３と内筒４との間に挿入隙間５′が形成されている。縦樋１としては例えば図６（ａ）（ｂ）に示すように複数の断面形状の縦樋１ａ，１ｂがあり、この縦樋１ａ，１ｂを接続するための縦樋接続部２は図７（ａ）（ｂ）に示すように夫々の断面形状に応じた挿入隙間５ａ′，５ｂ′を形成しなければならない。つまり、接続する縦樋１ａ，１ｂによってそれに応じた縦樋接続部２を有する雨樋部品を用意しなければならない。従って雨樋部品の品種が増えるという問題がある。
【０００３】
本発明は叙述の点に鑑みてなされたものであって、１種類の雨樋部品に２種類の縦樋を接続することができて雨樋部品の種類を少なくできる雨樋部品の縦樋接続部の構造を提供することを課題とする。
【０００４】
【課題を解決するための手段】
上記課題を解決するため本発明の雨樋部品の縦樋接続部の構造は、アンコー６ａ、集水器、エルボ等の雨樋部品６の縦樋接続部２に外筒３と内筒４とを二重筒状に設けると共に外筒３と内筒４との間に縦樋１の端部を挿入し得る挿入隙間５を形成した雨樋部品の縦樋接続部の構造において、２種類の縦樋１の断面形状に夫々合致する断面形状の第１挿入隙間５ａと第２挿入隙間５ｂとを外筒３と内筒４との間にオーバーラップするように形成し、第１挿入隙間５ａと第２挿入隙間５ｂとが重複しない部分では第１挿入隙間５ａと第２挿入隙間５ｂとの間に仕切りリブ７を設けたことを特徴とする。第１挿入隙間５ａと第２挿入隙間５ｂを選択することにより１種類の雨樋部品６に２種類の縦樋１を接続することができ、雨樋部品６の種類を少なくすることができる。また第１挿入隙間５ａと第２挿入隙間５ｂとが重複しない部分では第１挿入隙間５ａと第２挿入隙間５ｂとの間に仕切りリブ７を設けたことにより、縦樋１の端部を挿入して接着するとき接着剤８が溜まる部分ができなく、接着剤８が膨潤して接着力が低下することが生じなく、縦樋１の端部を接着剤で確実に接続することができる。
【０００５】
また内筒４を外筒３より長く突出させると共に内筒４の先端の外面に全周に亙って勾配面１５を設けて成ることを特徴とする。縦樋１の端部を第１挿入隙間５ａや第２挿入隙間５ｂに挿入するとき縦樋１を内筒４にてガイドして挿入できて縦樋１の接続が容易にでき、しかも、内筒４の先端の外面に全周に亙って勾配面１５を設けることにより、一層縦樋１をスムーズに接続できる。
【０００６】
【発明の実施の形態】
本例の場合、雨樋部品６はアンコー６ａである。この本例のアンコー６ａは図１に示すように特殊な形状のものであり、上部が集水器部１０となっており、下部はアンコー部１１となっている。アンコー６ａの上端には軒樋に接続する自在ドレン１２を装着してあり、アンコー６ａの下部には側方に突出する縦樋接続部２を設けてある。
【０００７】
縦樋接続部２に接続する縦樋１は筒状樋であり、本例の場合呼び樋として用いるものである。縦樋１としては図６（ａ）（ｂ）に示す２種類の断面形状のものがある。図６（ａ）に示す縦樋１ａは角筒状で４隅にＣ面の面取り１２を有し、対向する２面の中央に断面半円状の凹曲部１３を有する。図６（ｂ）に示す縦樋１ｂは角筒状で四隅に凹曲した面取り１４を有する。
【０００８】
アンコー６ａの縦樋接続部２は図２に示すように外筒３と内筒４よりなる二重筒状に形成されており、外筒３と内筒４との間に縦樋１を挿入する挿入隙間５が形成されている。この外筒３と内筒４とは内筒４の方が長く突出するように設けてある。内筒４の先端の外面には全周に亙って勾配面１５を設けてある。上記挿入隙間５は縦樋１ａの断面形状に合致する断面形状の第１挿入隙間５ａと縦樋１ｂの断面形状に合致する断面形状の第２挿入隙間５ｂとをオーバーラップするように設けて形成されている。つまり、第１挿入隙間５ａと第２挿入隙間５ｂとは共通の断面形状の部分は兼用しており、断面形状の異なる部分だけが分離している。第１挿入隙間５ａと第２挿入隙間５ｂの断面形状の異なって重複しない部分だけがその間に仕切りリブ７を設けてある。
【０００９】
しかして、図６（ａ）の縦樋１ａをアンコー６ａに接続する場合、縦樋１ａの端部または第１挿入隙間５ａの少なくとも一方に接着剤を塗布し、縦樋１ａの端部を図３に示すように第１挿入隙間５ａに挿入して接続する。また図６（ｂ）の縦樋１ｂをアンコー６ａに接続する場合、縦樋１ｂの端部または第２挿入隙間５ｂの少なくとも一方に接着剤を塗布し、縦樋１ｂの端部を図４に示すように第２挿入隙間５ｂに挿入して接続する。このとき、第１挿入隙間５ａと第２挿入隙間５ｂとの間に仕切りリブ７がないと、図５（ａ）のように接着剤８が溜まる部分ができ、接着剤８の溜まった部分が膨潤を起こすと接着が外れるおそれがあるが、本発明の場合、図５（ｂ）のように仕切りリブ７が設けてあるために接着剤が溜まる部分ができなくて接着剤が膨潤して接着が外れるようなことが起こらなく、確実に接続できる。上記のように１つの共通のアンコー６ａに２種類の断面形状の縦樋１ａ，１ｂを接続できるため、アンコー６ａの種類を少なくできる。また縦樋接続部２では外筒３より内筒４を突出させてあるために縦樋１を挿入して接続するとき縦樋１を内筒４でガイドできて縦樋１をスムーズに接続できる。このとき内筒４の先端の外面に勾配面１５を設けてあると、一層縦樋１をスムーズに接続できる。
【００１０】
なお、上記例では雨樋部品６としてアンコー６ａの例について述べたが、これは集水器であってもエルボであってもその他のものであっても同様に実施できる。
【００１１】
【発明の効果】
本発明の請求項１の発明は、２種類の縦樋の断面形状に夫々合致する断面形状の第１挿入隙間と第２挿入隙間とを外筒と内筒との間にオーバーラップするように形成しているので、第１挿入隙間と第２挿入隙間を選択することにより１種類の雨樋部品に２種類の縦樋を接続することができ、雨樋部品の種類を少なくすることができるものであり、しかも第１挿入隙間と第２挿入隙間とが重複しない部分では第１挿入隙間と第２挿入隙間との間に仕切りリブを設けたので、縦樋の端部を挿入して接着するとき接着剤が溜まる部分ができなく、接着剤が膨潤して接着力が低下することが生じなく、縦樋の端部を接着剤で確実に接続することができるものである。
【００１２】
また、内筒を外筒より長く突出させると共に内筒の先端の外面に全周に亙って勾配面を設けたので、縦樋の端部を第１挿入隙間や第２挿入隙間に挿入するとき縦樋を内筒にてガイドして挿入できて縦樋の接続が容易にできると共に勾配面を設けることにより、一層縦樋をスムーズに接続できるものである。
【図面の簡単な説明】
【図１】本発明の実施の形態の一例の分解斜視図である。
【図２】同上の縦樋接続部を示し、（ａ）は正面図、（ｂ）は（ａ）のＡ−Ａ線断面図である。
【図３】同上の縦樋接続部に縦樋と接続した状態を示し、（ａ）は一部切欠正面図、（ｂ）は（ａ）のＢ−Ｂ線断面図である。
【図４】同上の縦樋接続部に他の縦樋を接続した状態を示し、（ａ）は一部切欠正面図、（ｂ）は（ａ）のＣ−Ｃ線断面図である。
【図５】（ａ）（ｂ）は仕切りリブの働きを説明する断面図である。
【図６】（ａ）（ｂ）は縦樋の断面形状を示す断面図である。
【図７】（ａ）（ｂ）は縦樋接続部の正面図である。
【符号の説明】
１  縦樋
２  縦樋接続部
３  外筒
４  内筒
５  挿入隙間
５ａ  第１挿入隙間
５ｂ  第２挿入隙間
６  雨樋部品
６ａ  アンコー
７  仕切りリブ
１５  勾配面
【図１】
0003724395.tif 000002
【図２】
0003724395.tif 000003
【図３】
0003724395.tif 000004
【図４】
0003724395.tif 000005
【図５】
0003724395.tif 000006
【図６】
0003724395.tif 000007
【図７】
0003724395.tif 000008